【事件の表示】
　特許第３４４７２８４号「防火区画用スクリーンシャッター」の請求項１ないし７に係る特許に対する特許異議の申立てについて、次のとおり決定する。
【結　論】
　訂正を認める。
　特許第３４４７２８４号の請求項１ないし５に係る特許を維持する。
【理　由】
１．手続の経緯
　本件特許第３４４７２８４号は、平成１４年８月２０日（優先権主張平成１４年２月２５日）に特許出願され、平成１５年７月４日にその特許権の設定の登録がなされ、その後、仲佐智雄、及び、重松肇より特許異議の申立がなされ、平成１６年９月７日付けで取消理由通知がなされ、平成１６年１１月１６日付けで意見書及び訂正請求書が提出され、平成１６年１２月１０日付けで特許異議申立人に対して審尋がなされたが、両特許異議申立人から回答がなされなかったものである。
　
２．訂正の適否についての判断
（１）平成１６年１１月１６日付け訂正請求による訂正の内容
訂正事項１：請求項１を削除する。
　
訂正事項２：訂正前の請求項２を
「【請求項１】　スクリーン幕を展開状態として防火区画を形成する防火区画形成手段と、上記スクリーン幕を昇降動作可能として、上昇した当該スクリーン幕下が避難通路となる昇降式の避難扉とする扉形成手段とを備えた防火区画用スクリーンシャッターであって、
　前記扉形成手段が、前記スクリーン幕に接続され、その降下速度を減速する減速手段と、該減速手段と上記スクリーン幕との間に設けられ、該スクリーン幕の上昇時にこれと該減速手段とを切り離すクラッチ手段とを有する昇降速度調整手段を備え、
　前記防火区画形成手段が、天井から降下された前記スクリーン幕を床に係脱自在に係止する展開状態維持手段を有し、
　前記展開状態維持手段は、
　前記スクリーン幕の両側を天井から床面まで昇降可能にガイドするガイドと、
　前記ガイドに形成された横穴に対向して、前記スクリーン幕の下縁に設けられ、前記スクリーン幕の左右幅方向に沿うウエイトの長さ方向両端に固定配置されたシリンダと、
　前記シリンダ内にあって、前記横穴に向けて挿抜可能に設けられたロッドと、
　前記シリンダ内にあって、前記ロッドの外周に介挿され、その鍔部を押しつけることにより前記ロッドの先端部を前記横穴に向けて突出付勢する圧縮コイルバネと、
　前記シリンダの後端から突出する前記ロッド後部に連結されるワイヤーと、
　前記ワイヤーにコマを介して連結されるとともに、前記ウエイトの側面に揺動可能に支持され、かつ、その一端部が、前記ウエイトの下面よりも床側へと突出したレバーと、
　前記レバーの他端部に連結された引っ張りコイルバネとを備え、
　前記引っ張りコイルバネは、前記圧縮コイルバネよりも大きなバネ力を有する
ことを特徴とする防火区画用スクリーンシャッター。」と訂正する。
　
訂正事項３：訂正前の請求項６を
「【請求項２】　前記ワイヤーの中央側を引くことにより、両側の前記ロッドを前記シリンダ内に没入させ、当該ロッドによるロックを解除することを特徴とする請求項１に記載の防火区画用スクリーンシャッター。」と訂正する。
　
訂正事項４：訂正前の請求項３を
「【請求項３】　前記防火区画形成手段が、前記スクリーン幕を天井に係脱自在に係止するロック手段と、解除信号に応じて上記スクリーン幕を上記天井から離脱させるために上記ロック手段を離脱作動させるロック解除手段とからなるスクリーン幕格納手段を有することを特徴とする請求項１または２に記載の防火区画用スクリーンシャッター。」と訂正する。
　
訂正事項５：訂正前の請求項７を
「【請求項５】　前記遠心力ブレーキに連繋して前記スクリーン幕の近傍に配置され、ブレーキのロックオン、ロックオフするための手動ロック操作ボタン及びロック解除用手動操作ボタンを設けたことを特徴とする請求項４に記載の防火区画用スクリーンシャッター。」と訂正する。
　
訂正事項６：段落０００７を
「【０００７】
【課題を解決するための手段】
　本発明にかかる防火区画用スクリーンシャッターは、スクリーン幕を展開状態として防火区画を形成する防火区画形成手段と、上記スクリーン幕を昇降動作可能として、上昇した当該スクリーン幕下が避難通路となる昇降式の避難扉とする扉形成手段とを備えた防火区画用スクリーンシャッターであって、前記扉形成手段が、前記スクリーン幕に接続され、その降下速度を減速する減速手段と、該減速手段と上記スクリーン幕との間に設けられ、該スクリーン幕の上昇時にこれと該減速手段とを切り離すクラッチ手段とを有する昇降速度調整手段を備え、前記防火区画形成手段が、天井から降下された前記スクリーン幕を床に係脱自在に係止する展開状態維持手段を有し、前記展開状態維持手段は、前記スクリーン幕の両側を天井から床面まで昇降可能にガイドするガイドと、前記ガイドに形成された横穴に対向して、前記スクリーン幕の下縁に設けられ、前記スクリーン幕の左右幅方向に沿うウエイトの長さ方向両端に固定配置されたシリンダと、前記シリンダ内にあって、前記横穴に向けて挿抜可能に設けられたロッドと、前記シリンダ内にあって、前記ロッドの外周に介挿され、その鍔部を押しつけることにより前記ロッドの先端部を前記横穴に向けて突出付勢する圧縮コイルバネと、前記シリンダの後端から突出する前記ロッド後部に連結されるワイヤーと、前記ワイヤーにコマを介して連結されるとともに、前記ウエイトの側面に揺動可能に支持され、かつ、その一端部が、前記ウエイトの下面よりも床側へと突出したレバーと、前記レバーの他端部に連結された引っ張りコイルバネとを備え、前記引っ張りコイルバネは、前記圧縮コイルバネよりも大きなバネ力を有することを特徴とする。」と訂正する。
　
訂正事項７：段落０００８を
「【０００８】
　また、前記ワイヤーは、その中央側が引かれることにより、前記ロッドが前記シリンダ内に没入され、当該ロッドと前記横穴とのロックが解除されることを特徴とする。」と訂正する。
　
訂正事項８：段落００１４を削除する。
　
訂正事項９：段落００１５を削除する。
　
（２）訂正の目的の適否、新規事項の有無、及び拡張・変更の存否
　上記訂正事項１〜５の特許請求の範囲の訂正は、特許請求の範囲の減縮を目的としたものである。
　上記訂正事項６〜９の訂正は、特許請求の範囲の訂正に伴って、それとの整合を図るために発明の詳細な説明を訂正したもので、明細書の明りょうでない記載の釈明を目的としたものである。
　そして、上記訂正事項１〜９は、願書に添付した明細書又は図面に記載されている事項の範囲内の訂正であり、また、実質上特許請求の範囲を拡張し、又は変更するものでもない。
　
（３）むすび
　以上のとおりであるから、平成１６年１１月１６日付け訂正は、平成１５年改正前特許法第１２０条の４第２項の規定及び同条第３項において準用する特許法第１２６条第２項、同第３項の規定に適合するので、当該訂正を認める。
　
３．特許異議申立てについての判断
（１）本件発明
　上記２．で示したように平成１６年１１月１６日付けの訂正が認められるから、本件の請求項１〜５に係る発明は、上記訂正請求書に添付した訂正明細書の特許請求の範囲の請求項１〜５に記載された事項により特定される以下のとおりのものである。（以下、訂正後の請求項１〜５に係る発明を、それぞれ「本件発明１」〜「本件発明５」という。）
「【請求項１】　スクリーン幕を展開状態として防火区画を形成する防火区画形成手段と、上記スクリーン幕を昇降動作可能として、上昇した当該スクリーン幕下が避難通路となる昇降式の避難扉とする扉形成手段とを備えた防火区画用スクリーンシャッターであって、
　前記扉形成手段が、前記スクリーン幕に接続され、その降下速度を減速する減速手段と、該減速手段と上記スクリーン幕との間に設けられ、該スクリーン幕の上昇時にこれと該減速手段とを切り離すクラッチ手段とを有する昇降速度調整手段を備え、
　前記防火区画形成手段が、天井から降下された前記スクリーン幕を床に係脱自在に係止する展開状態維持手段を有し、
　前記展開状態維持手段は、
　前記スクリーン幕の両側を天井から床面まで昇降可能にガイドするガイドと、
　前記ガイドに形成された横穴に対向して、前記スクリーン幕の下縁に設けられ、前記スクリーン幕の左右幅方向に沿うウエイトの長さ方向両端に固定配置されたシリンダと、
　前記シリンダ内にあって、前記横穴に向けて挿抜可能に設けられたロッドと、
　前記シリンダ内にあって、前記ロッドの外周に介挿され、その鍔部を押しつけることにより前記ロッドの先端部を前記横穴に向けて突出付勢する圧縮コイルバネと、
　前記シリンダの後端から突出する前記ロッド後部に連結されるワイヤーと、
　前記ワイヤーにコマを介して連結されるとともに、前記ウエイトの側面に揺動可能に支持され、かつ、その一端部が、前記ウエイトの下面よりも床側へと突出したレバーと、
　前記レバーの他端部に連結された引っ張りコイルバネとを備え、
　前記引っ張りコイルバネは、前記圧縮コイルバネよりも大きなバネ力を有する
ことを特徴とする防火区画用スクリーンシャッター。
　【請求項２】　前記ワイヤーの中央側を引くことにより、両側の前記ロッドを前記シリンダ内に没入させ、当該ロッドによるロックを解除することを特徴とする請求項１に記載の防火区画用スクリーンシャッター。
　【請求項３】　前記防火区画形成手段が、前記スクリーン幕を天井に係脱自在に係止するロック手段と、解除信号に応じて上記スクリーン幕を上記天井から離脱させるために上記ロック手段を離脱作動させるロック解除手段とからなるスクリーン幕格納手段を有することを特徴とする請求項１または２に記載の防火区画用スクリーンシャッター。
　【請求項４】　前記減速手段が、前記スクリーン幕に接続され、該スクリーン幕の降下速度を増速して出力する増速手段と、該増速手段に接続され、これより伝達される出力速度に応じて制動力を発生する遠心力ブレーキとからなることを特徴とする請求項１〜３のいずれかの項に記載の防火区画用スクリーンシャッター。
　【請求項５】　前記遠心力ブレーキに連繋して前記スクリーン幕の近傍に配置され、ブレーキのロックオン、ロックオフするための手動ロック操作ボタン及びロック解除用手動操作ボタンを設けたことを特徴とする請求項４に記載の防火区画用スクリーンシャッター。」
　
（２）引用刊行物及び甲号各証に記載された発明
　当審が通知した取消しの理由において引用した刊行物１〜１３、及び甲号各証には、それぞれ次の事項が記載されている。
ａ．刊行物１（特開２０００−５１３８０号公報（申立人仲佐智雄、及び重松肇提出の甲第１号証））には、シートシヤツターを閉鎖状態として防火区画を形成する防火区画形成手段と、上記シートシヤツターを昇降動作可能として、上昇した当該シートシヤツター下が避難通路となる昇降式の避難扉とする扉形成手段とを備えた防火区画用シートシヤツターが記載されているものと認める。
　
ｂ．刊行物２（特開２０００−２２０３６８号公報（申立人仲佐智雄提出の甲第２号証、申立人重松肇提出の甲第３号証））には、ブラインド部材に接続され、その降下速度を減速する制動装置と、該制動装置と前記ブラインド部材との間に設けられ、該ブラインド部材の上昇時にこれと前記制動装置とを切り離す一方向回転伝達手段とを有する昇降速度調整手段を備え、前記制動装置が、前記ブラインド部材に接続され、該ブラインド部材の降下速度を増速して出力する増速輪列と、該増速輪列に接続され、これより伝達される出力速度に応じて制動力を発生する遠心ガバナーとからなるブラインド装置が記載されているものと認める。
　
ｃ．刊行物３（特開２０００−３３７０５６号公報（申立人仲佐智雄提出の甲第３号証））には、シートシャッターに接続され、その降下速度を減速する遠心クラッチと、該遠心クラッチと前記シートシャッターとの間に設けられ、該シートシャッターの上昇時にこれと遠心クラッチとを切り離すワンウェイクラッチとを有する昇降速度調整手段を備えたシートシャッターが記載されているものと認める。
　
ｄ．刊行物４（特開平９−２６８８６６号公報（申立人仲佐智雄提出の甲第４号証））には、シャッターカーテンに接続され、その降下速度を減速する制動装置と、該制動装置と前記シャッターカーテンとの間に設けられ、該シャッターカーテンの上昇時にこれと該制動装置とを切り離す一方向回転クラッチとを有する昇降速度調整手段を備えた電動シャッターが記載されているものと認める。
　
ｅ．刊行物５（特許第２９５５９３３号公報（申立人仲佐智雄提出の甲第５号証））には、シート体に接続され、その降下速度を減速する粘性クラッチと、該粘性クラッチと前記シート体との間に設けられ、該シート体の上昇時にこれと該粘性クラッチとを切り離すワンウエイクラッチとを有する昇降速度調整手段
を備えた防火区画用布製防火シャッターが記載されているものと認める。
　
ｆ．刊行物６（特開２００１−１２０６７８号公報（申立人仲佐智雄提出の甲６号証、申立人重松肇提出の甲第４号証））には、天井から降下されたスクリーン幕を床面に磁力により吸着固定する展開状態維持手段を有する防火区画用スクリーン装置が記載されているものと認める。
　
ｇ．刊行物７（実願昭５５−５８６４１号（実開昭５６−１７１９５５号）のマイクロフィルム（申立人仲佐智雄提出の甲第７号証、申立人重松肇提出の甲第５号証））には、防火・防煙シヤツターを平常時に作動しないようロツクしているブレーキを、火災感知器などの動作に連動して開放する自動開放装置が記載されているものと認める。
　
ｈ．刊行物８（実公平７−４５７５８号公報（申立人仲佐智雄提出の甲第８号証））には、シヤツターカーテンの両側を天井から床面まで昇降可能にガイドするガイドレールと、前記ガイドレールに形成されたラツチ掛りに対向して、前記シヤツターカーテンの下縁に設けられ、前記シヤツターカーテンの左右幅方向に沿う座板の長さ方向両端に配置され、前記ラツチ掛りに係止可能に設けられたラツチと、該ラツチのラツチ爪を前記ラツチ掛りに向けて突出付勢する捻り弾機と、前記ラツチ爪の後部に連結される連結ワイヤと、座板中央部に前記連結ワイヤの他端を連結した揺動体を軸承する解錠操作部とを備え、前記解錠操作部の操作板を上動することにより、両側の前記ラツチを前記ラツチ爪が座板側縁部と略面一となるまで退避させ、当該ラツチによるロックを解除する建築用シヤツターの施錠装置が記載されているものと認める。
　
ｉ．刊行物９（実願昭５９−１８５２１６号（実開昭６１−９８１９６号）のマイクロフィルム（申立人仲佐智雄提出の甲第９号証））には、シヤツターカーテン中央部に設けた左右の解錠用つまみを互いに接近する内方に移動させることにより、両側のラツチバーを座板内に没入させ、当該ラツチバーによるロックを解除するシヤツターの自動ラツチ錠が記載されているものと認める。
　
ｊ．刊行物１０（特開平６−３３０６８０号公報（申立人仲佐智雄提出の甲第１０号証））には、シヤツターカーテンの中央部に設置された錠レバーを操作することにより、両側のラツチを解錠位置に揺動させ、当該ラツチによるロックを解除する建築用シヤツターの錠装置が記載されているものと認める。
　
ｋ．刊行物１１（実公平８−１０１６０号公報（申立人仲佐智雄提出の甲第１１号証））には、防火シャッターのブレーキ機構に連繋して、建物の壁面に、ブレーキを解放、復帰するための押ボタン及び復帰レバーを設けることが記載されているものと認める。
　
ｌ．刊行物１２（特開平９−３２４５９０号公報（申立人仲佐智雄提出の甲第１２号証））には、建築用シャッターのブレーキ装置に連繋して、シャッターカーテンの近傍に、ブレーキを解放、復帰するための押し釦及び操作レバーを設けることが記載されているものと認める。
　
ｍ．刊行物１３（特開平１０−２６６７４２号公報（申立人仲佐智雄提出の甲第１３号証））には、同軸モータと巻上げドラム間のクラッチに連繋してシャッタースラットの近傍に配置され、クラッチの断続操作をするためのレバーを設けた非常開放装置付き電動シャッターが記載されているものと認める。
　
ｎ．申立人重松肇提出の甲第２号証（実願平３−４８６１３号（実開平５−１０６９７号）のＣＤ−ＲＯＭ）には、シャッターカーテンの巻取シャフトの回転に伴い回転する被回転部材と、前記シャッターカーテンの下降時に前記被回転部材の回転速度が所定値以上に達したときにその回転を停止させ、上昇時には機能しない、停止手段と、前記シャッターカーテンに接続され、該シャッターカーテンの降下速度を増速して出力する増速手段を備えたシャッター落下防止装置が記載されているものと認める。
　
（３）本件発明１について
　本件発明１と刊行物１記載の発明を対比すると、刊行物１記載の発明の「シートシヤツター」、「閉鎖」は、それぞれ本件発明１の「スクリーン幕」又は「スクリーンシャッター」、「展開」に相当するから、両者は、「スクリーン幕を展開状態として防火区画を形成する防火区画形成手段と、上記スクリーン幕を昇降動作可能として、上昇した当該スクリーン幕下が避難通路となる昇降式の避難扉とする扉形成手段とを備えた防火区画用スクリーンシャッター」の点で一致するが、先ず次の点で相違する。
　
　相違点：本件発明１は、展開状態維持手段として、スクリーン幕の両側を天井から床面まで昇降可能にガイドするガイドと、前記ガイドに形成された横穴に対向して、前記スクリーン幕の下縁に設けられ、前記スクリーン幕の左右幅方向に沿うウエイトの長さ方向両端に固定配置されたシリンダと、前記シリンダ内にあって、前記横穴に向けて挿抜可能に設けられたロッドと、前記シリンダ内にあって、前記ロッドの外周に介挿され、その鍔部を押しつけることにより前記ロッドの先端部を前記横穴に向けて突出付勢する圧縮コイルバネと、前記シリンダの後端から突出する前記ロッド後部に連結されるワイヤーと、前記ワイヤーにコマを介して連結されるとともに、前記ウエイトの側面に揺動可能に支持され、かつ、その一端部が、前記ウエイトの下面よりも床側へと突出したレバーと、前記レバーの他端部に連結された引っ張りコイルバネとを備え、前記引っ張りコイルバネは、前記圧縮コイルバネよりも大きなバネ力を有するのに対し、刊行物１記載の発明は、そのような構成を有しない点。
　
　相違点について検討すると、刊行物２〜１３又は甲号各証のいずれにも、この点について、記載も示唆もされていない。そして、本件発明１は、この構成を備えることにより、「スクリーン幕の降下時であっても、ロッドがスクリーン幕から突出しないから、ロッドの先端が左右のガイドに接触することを防止できる、」（平成１６年１１月１６日付け特許異議意見書８頁２６〜２８行）という顕著な作用効果を奏するものである。
　したがって、本件発明１は、他の相違点について検討するまでもなく、引用刊行物記載の発明及び他の証拠に基いて当業者が容易に発明できたものとすることはできない。
　
（４）本件発明２〜５について
　本件発明２〜５は、本件発明１を更に限定するものであるから、本件発明１について述べたと同様の理由により、引用刊行物記載の発明及び他の証拠に基いて当業者が容易に発明できたものとすることはできない。
　
４．むすび
　以上のとおりであるから、特許異議の申立ての理由及び証拠によっては本件発明１〜５についての特許を取り消すことはできない。
　また、他に本件発明１〜５についての特許を取り消すべき理由を発見しない。
　よって、結論のとおり決定する。
【異議決定日】
平成１７年２月２８日（２００５．２．２８）
【訂正の要旨】
審決（決定）の【理由】欄参照。
（５４）【発明の名称】
防火区画用スクリーンシャッター
（５７）【特許請求の範囲】
　【請求項１】　スクリーン幕を展開状態として防火区画を形成する防火区画形成手段と、上記スクリーン幕を昇降動作可能として、上昇した当該スクリーン幕下が避難通路となる昇降式の避難扉とする扉形成手段とを備えた防火区画用スクリーンシャッターであって、
　前記扉形成手段が、前記スクリーン幕に接続され、その降下速度を減速する減速手段と、該減速手段と上記スクリーン幕との間に設けられ、該スクリーン幕の上昇時にこれと該減速手段とを切り離すクラッチ手段とを有する昇降速度調整手段を備え、
　前記防火区画形成手段が、天井から降下された前記スクリーン幕を床に係脱自在に係止する展開状態維持手段を有し、
　前記展開状態維持手段は、
　前記スクリーン幕の両側を天井から床面まで昇降可能にガイドするガイドと、
　前記ガイドに形成された横穴に対向して、前記スクリーン幕の下縁に設けられ、前記スクリーン幕の左右幅方向に沿うウエイトの長さ方向両端に固定配置されたシリンダと、
　前記シリンダ内にあって、前記横穴に向けて挿抜可能に設けられたロッドと、
　前記シリンダ内にあって、前記ロッドの外周に介挿され、その鍔部を押しつけることにより前記ロッドの先端部を前記横穴に向けて突出付勢する圧縮コイルバネと、
　前記シリンダの後端から突出する前記ロッド後部に連結されるワイヤーと、
　前記ワイヤーにコマを介して連結されるとともに、前記ウエイトの側面に揺動可能に支持され、かつ、その一端部が、前記ウエイトの下面よりも床側へと突出したレバーと、
　前記レバーの他端部に連結された引っ張りコイルバネとを備え、
　前記引っ張りコイルバネは、前記圧縮コイルバネよりも大きなバネ力を有することを特徴とする防火区画用スクリーンシャッター。
　【請求項２】　
前記ワイヤーの中央側を引くことにより、両側の前記ロッドを前記シリンダ内に没入させ、当該ロッドによるロックを解除することを特徴とする請求項１に記載の防火区画用スクリーンシャッター。
　【請求項３】　前記防火区画形成手段が、前記スクリーン幕を天井に係脱自在に係止するロック手段と、解除信号に応じて上記スクリーン幕を上記天井から離脱させるために上記ロック手段を離脱作動させるロック解除手段とからなるスクリーン幕格納手段を有することを特徴とする請求項
１または２
　【請求項４】　前記減速手段が、前記スクリーン幕に接続され、該スクリーン幕の降下速度を増速して出力する増速手段と、該増速手段に接続され、これより伝達される出力速度に応じて制動力を発生する遠心力ブレーキとからなることを特徴とする請求項１〜３のいずれかの項に記載の防火区画用スクリーンシャッター。
　【請求項
５
４
【発明の詳細な説明】
　【０００１】
　【発明の属する技術分野】
　本発明は、間口の狭い場所やエレベーターの扉前、階段室の出入り口などであっても使用可能な避難扉を備えてこれら場所に好ましく設置できるとともに、スクリーン幕の幕面に扉機能をもたせる必要のない避難扉を備えてスクリーン幕の繰り出し・巻き取り動作も安定化させることができる防火区画用スクリーンシャッターに関する。
　【０００２】
　【従来の技術】
　従来の防火区画用スクリーンシャッターは図１４に示すように、天井部ｉに取り付けられたブラケットａに軸受ｂを介して回転自在に支持され、スクリーン幕ｃが巻き取られているドラムｄと、クラッチ付きの回転伝達機構で構成された開閉機ｅとを、チェーン・スプロケット機構ｆを介して連結し、クラッチの切り離しによる回転伝達機構の自由回転、ひいてはドラムｄの自由回転により、スクリーン幕ｃの繰り出し始端に設けたウエイトの重さを利用してスクリーン幕ｃを繰り出して床に向かって降下させ、ウエイトの着床により天井部ｉから床にわたってスクリーン幕ｃを展開して防火区画を形成するようになっていた。展開したスクリーン幕ｃを天井部ｉに格納する場合には、開閉機ｅの回転伝達機構のクラッチを繋ぎ、その後取っ手ｇを手動で回して回転伝達機構を駆動したり、モータｈで回転伝達機構を駆動してスクリーン幕ｃをドラムｄに巻き取るようにしていた。
　【０００３】
　またスクリーン幕ｃには避難通路を確保するために、スクリーン幕ｃに対して前後に折り返すように開閉される扉式の避難扉や、スクリーン幕ｃに沿って左右にスライドされて開閉される引き戸式の避難扉が設けられていた。そして火災発生時には、火災報知信号が開閉機ｅに入力されてクラッチが切り離され、このクラッチの切り離しによりスクリーン幕ｃがウエイトの重さでドラムｄから繰り出されて床まで降下され、これによって防火区画が形成され、また避難者は、スクリーン幕ｃの扉式の避難扉を前後に押し引きしたり、あるいは引き戸式の避難扉を左右に押し引きすることで開放して、避難するようになっていた。
　【０００４】
　【発明が解決しようとする課題】
　ところで、従来の防火区画用スクリーンシャッターにあっては、避難扉が引き戸式の場合、引き戸の開放により確保される避難通路の左右いずれか一方に、引き開けられた引き戸を格納できる引き戸分のスペースが必要であり、スクリーン幕ｃの横幅として避難扉の２枚分以上必要となってスクリーン幕ｃの幅が長大化し、特に、エレベータの扉前や階段室の出入り口などの間口の狭い場所に当該スクリーンシャッターを設置することができないという課題があった。また、避難扉が前後に開かれる扉式の場合は、避難扉の前後に当該扉を開閉することができるスペースが必要であり、この扉式の避難扉を備えたスクリーンシャッターも、エレベータの扉前や階段の段差がすぐに始まる階段室の出入り口などには設置し難いという課題があった。
　【０００５】
　さらにこれら形式の避難扉にあっては、引き戸式や扉式にするためにスクリーン幕ｃ、特にその幕面に対してスライド機構や折り返し機構などの扉機能をもたせる必要があって構造が複雑化し、このようなスクリーン幕ｃの幕面の構造の複雑化はスクリーン幕ｃのドラムｄへの巻き取り動作やドラムｄからの繰り出し動作に支障を生じさせるおそれもあった。
　【０００６】
　本発明は従来の課題に鑑みて創案されたもので、間口の狭い場所やエレベーターの扉前、階段室の出入り口などであっても使用可能な避難扉を備えてこれら場所に好ましく設置できるとともに、スクリーン幕の幕面に扉機能をもたせる必要のない避難扉を備えてスクリーン幕の繰り出し・巻き取り動作も安定化させることができる防火区画用スクリーンシャッターを提供することを目的とする。
　【０００７】
　【課題を解決するための手段】
　本発明にかかる防火区画用スクリーンシャッターは、スクリーン幕を展開状態として防火区画を形成する防火区画形成手段と、上記スクリーン幕を昇降動作可能として、上昇した当該スクリーン幕下が避難通路となる昇降式の避難扉とする扉形成手段とを備えた防火区画用スクリーンシャッターであって、前記扉形成手段が、前記スクリーン幕に接続され、その降下速度を減速する減速手段と、該減速手段と上記スクリーン幕との間に設けられ、該スクリーン幕の上昇時にこれと該減速手段とを切り離すクラッチ手段とを有する昇降速度調整手段を備え
、前記防火区画形成手段が、天井から降下された前記スクリーン幕を床に係脱自在に係止する展開状態維持手段を有し、前記展開状態維持手段は、前記スクリーン幕の両側を天井から床面まで昇降可能にガイドするガイドと、前記ガイドに形成された横穴に対向して、前記スクリーン幕の下縁に設けられ、前記スクリーン幕の左右幅方向に沿うウエイトの長さ方向両端に固定配置されたシリンダと、前記シリンダ内にあって、前記横穴に向けて挿抜可能に設けられたロッドと、前記シリンダ内にあって、前記ロッドの外周に介挿され、その鍔部を押しつけることにより前記ロッドの先端部を前記横穴に向けて突出付勢する圧縮コイルバネと、前記シリンダの後端から突出する前記ロッド後部に連結されるワイヤーと、前記ワイヤーにコマを介して連結されるとともに、前記ウエイトの側面に揺動可能に支持され、かつ、その一端部が、前記ウエイトの下面よりも床側へと突出したレバーと、前記レバーの他端部に連結された引っ張りコイルバネとを備え、前記引っ張りコイルバネは、前記圧縮コイルバネよりも大きなバネ力を有する
　【０００８】
　
また、前記ワイヤーの中央側を引くことにより、両側の前記ロッドを前記シリンダ内に没入させ、当該ロッドによるロックを解除することを特徴とする。
　【０００９】
　また、前記防火区画形成手段が、前記スクリーン幕を天井に係脱自在に係止するロック手段と、解除信号に応じて上記スクリーン幕を上記天井から離脱させるために上記ロック手段を離脱作動させるロック解除手段とからなるスクリーン幕格納手段を有することを特徴とする。
　【００１０】
　【００１１】
　【００１２】
　さらにまた、前記減速手段が、前記スクリーン幕に接続され、該スクリーン幕の降下速度を増速して出力する増速手段と、該増速手段に接続され、これより伝達される出力速度に応じて制動力を発生する遠心力ブレーキとからなることを特徴とする。
　【００１３】
　【００１４】
　【００１５】
　【００１６】
　またさらに、前記遠心力ブレーキに連繋して前記スクリーン幕の近傍に配置され、ブレーキのロックオン、ロックオフするための手動ロック操作ボタン及びロック解除用手動操作ボタンを設けたことを特徴とする。
　【００１７】
　【発明の実施の形態】
　以下に、本発明にかかる防火区画用スクリーンシャッターの好適な一実施形態を、添付図面を参照して詳細に説明する。図１および図２に示すように本実施形態にかかる防火区画用スクリーンシャッター１は、建物内部の向かい合う柱２間や壁間、特に間口の狭い場所や階段室の出入り口、さらにはエレベーターの扉前のこれら柱２間で天井３から床４にわたって展開されて防火区画を形成するスクリーン幕５と、天井部６に設置され、上記間口や出入り口、エレベーター扉前の上方枠を成すボックス７内に回転自在に設けられ、スクリーン幕５が繰り出し巻き上げ可能に巻回されたドラム８と、柱２などに高さ方向に沿って設けられて上記間口や出入り口、エレベーター扉前の左右の側方枠を成し、ドラム８から繰り出され巻き上げられて昇降されるスクリーン幕５の両側縁の移動を案内するガイド９と、スクリーン幕５の下縁に設けられ、スクリーン幕５を繰り出し方向に付勢して降下させつつ最終的に床４に接地される降下用ウエイト１０とから主に構成され、上記ボックス７およびガイド９とからなる三方枠内において天井部６のドラム８と着床した降下用ウエイト１０との間にスクリーン幕５を展開状態として防火区画を形成する防火区画形成手段が備えられる。
　【００１８】
　防火区画形成手段を構成する降下用ウエイト１０と、中空筒体状に形成され、スクリーン幕５の両側縁の移動を案内するためにそれらが挿入されるスリット９ｂが形成されたガイド９との間には図１、図３および図４に示すように、天井部６から降下されたスクリーン幕５を床４側であるガイド９の下端９ａ位置に係脱自在に係止し、降下用ウエイト１０の着床状態を維持してスクリーン幕５の展開状態を維持する展開状態維持手段１８が備えられる。
　【００１９】
　この展開状態維持手段１８は、ガイド下端９ａにスリット９ｂに隣接させて形成された横穴１１と、スクリーン幕５の左右幅方向に沿う降下用ウエイト１０の長さ方向両端に形成されたシリンダ室１２内にスライド自在に設けられ、その鍔部１３ａの一方に横穴１１に向かって進退自在に進出されて当該横穴１１に挿抜自在に挿入される係止ロッド部１３ｂを有するとともに、鍔部１３ａを挟んで係止ロッド部１３ｂと反対側に解除操作ピン１４を有する操作ロッド部１３ｃが形成されたロッド１３と、シリンダ室１２内に降下用ウエイト１０とロッド１３の鍔部１３ａとの間に挟み込んで設けられ、鍔部１３ａを介してロッド１３を降下用ウエイト１０外方へ押圧付勢して係止ロッド部１３ｂを横穴１１に向かって進出させるスプリング１５と、降下用ウエイト１０にその回動軸１７ａが回動自在に支持され、係合端１６ａが解除操作ピン１４に係合されるとともに、解除力入力部１６ｂが降下用ウエイト１０外方に延出され、解除力入力部１６ｂを操作することで解除操作ピン１４を介して、スプリング１５に抗してロッド１３をスライドさせて係止ロッド部１３ｂを横穴１１から後退させて抜き出す解除レバー１７とから構成される。この解除レバー１７は、スクリーン幕５を挟んで降下用ウエイト１０の両側に一対設けられ、スクリーン幕５のいずれの側からも操作できるようになっている。
　【００２０】
　特に係止ロッド部１３ｂは、横穴１１に向かって僅かに先細りとなるテーパ面１３ｄで形成され、これにより横穴１１への挿入を確実化できるとともに、横穴１１からの抜き出しを円滑に行えるようになっている。展開状態維持手段１８は、スプリング１５で常時横穴１１に向けて付勢されている係止ロッド部１３ｂが、降下用ウエイト１０の着床で自動的に横穴１１に挿入されて降下用ウエイト１０の着床状態を維持し、これによりスクリーン幕５が床４側に係止されるとともに、解除レバー１７の操作で係止ロッド部１３ｂが横穴１１から後退されると、これによってスクリーン幕５は床４側から離脱されるようになっている。
　【００２１】
　また、本実施形態の防火区画用スクリーンシャッター１にあっては図１および図５に示すように、防火区画形成手段を構成するスクリーン幕５、図示例にあってはその降下用ウエイト１０と、スクリーン幕５を巻き取るドラム８を支持するボックス７との間に、常時はスクリーン幕５のドラム８への巻き取り状態を維持し、解除信号である火災報知信号に応じて巻き取り状態を解除してスクリーン幕５の展開を可能とするスクリーン幕格納手段１９が備えられる。
　【００２２】
　このスクリーン幕格納手段１９は、降下用ウエイト１０の一方の側面にほぼ水平に窪ませて形成されたロック孔２０と、ボックス７に形成された中空室２１内にスライド自在に設けられ、その鍔部２２ａの一方にロック孔２０に向かって進退自在に進出されて当該ロック孔２０に挿抜自在に挿入されるロックヘッド部２２ｂを有するとともに、鍔部２２ａを挟んでロックヘッド部２２ｂと反対側にスライド軸部２２ｃが形成されたシャフト２２と、中空室２１内にボックス７とシャフト２２の鍔部２２ａとの間に挟み込んで設けられ、鍔部２２ａを介してシャフト２２をボックス７外方へ押圧付勢してロックヘッド部２２ｂをロック孔２０に向かって進出させるバネ２３とからなるロック手段、並びにボックス７にスライド軸部２２ｃを囲繞して設けられ、火災報知信号が入力されることで励磁されて、バネ２３に抗してシャフト２２をスライドさせてロックヘッド部２２ｂをロック孔２０から後退させて抜き出すロック解除手段としてのソレノイド２４とから構成される。
　【００２３】
　特にロックヘッド部２２ｂは、スクリーン幕５の昇降方向下側が斜めに切除された形態を有し、水平な上側が降下用ウエイト１０の下降を規制する規制部２２ｄをなすとともに、ボックス７側から外方へ向かうに従って順次上向きに傾斜された下側は、ロックヘッド部２２ｂをロック孔２０に自動的に係合させるために、降下用ウエイト１０で押圧してシャフト２２を後退させる押圧部２２ｅとなっている。これにより降下用ウエイト１０の下降は規制部２２ｄによって阻止される一方で、スクリーン幕５の巻き上げに伴う降下用ウエイト１０の上昇に際しては、降下用ウエイト１０の上端肩部１０ａがロックヘッド部２２ｂの押圧部２２ｅに当接すると、ロックヘッド部２２ｂはバネ２３に抗してボックス７側に向かって後退し、その後継続する降下用ウエイト１０の上昇によってロック孔２０がロックヘッド部２２ｂ位置に達すると、バネ２３によりロックヘッド部２２ｂが降下用ウエイト１０に向かって進出されて当該ロック孔２０に挿入され、これにより降下用ウエイト１０がシャフト２２と係合されるようになっている。
　【００２４】
　このように構成したスクリーン幕格納手段１９は、スクリーン幕５を巻き上げて格納する操作では、バネ２３で常時ロック孔２０に向けて付勢されているロックヘッド部２２ｂが降下用ウエイト１０の上昇で自動的にロック孔２０に挿入されることでスクリーン幕５の巻き上げに伴う格納動作が行われ、また降下用ウエイト１０の降下を阻止するロック孔２０とロックヘッド部２２ｂの係合により、スクリーン幕５は天井部６に係止されてその格納状態が維持され、さらに、火災報知信号によりソレノイド２４が励磁されてロックヘッド部２２ｂがバネ２３に抗してロック孔２０から後退されて離脱されることで、スクリーン幕５は天井部６から離脱されるようになっている。スライド軸部２２ｃを移動させるソレノイド２４については、火災報知信号の入力の際に励磁される設定としても、火災報知信号の入力後継続的にその励磁状態が維持される設定としても、いずれであってもよい。
　【００２５】
　図示例にあっては、スクリーン幕格納手段１９はボックス７の中央部に設置されているが、その設置位置は問わない。また、スクリーン幕５を天井部６に係脱自在に係止するロック手段の構成としては、上述したシャフト２２を降下用ウエイト１０に対して係脱させるものに限らず、シャフト２２をドラム８に対して係脱自在に係止させるようにしてもよく、このようにしてもドラム８の回転の阻止によりスクリーン幕５を天井部６に係脱自在に係止することができる。
　【００２６】
　さらに本実施形態の防火区画用スクリーンシャッター１にあっては図６〜図８に示すように、上記スクリーン幕５を昇降動作可能として、上昇したスクリーン幕５下が避難通路となる昇降式の避難扉にする扉形成手段が備えられる。この扉形成手段は、上述した降下用ウエイト１０と、上記ドラム８に備えられて、スクリーン幕５を巻き上げる方向に当該ドラム８を付勢する付勢手段としてのねじりバネ２５とから主に構成される。
　【００２７】
　扉形成手段に適用されるドラム８は、両端部が細径で形成され、そのうちの一端部がボックス７内に設けられたブラケット７ａに固定状態で取り付けられた固定軸２７と、固定軸２７を取り囲んで設けられ、スクリーン幕５が巻き付けられる中空筒体２８と、中空筒体２８の一端に固設されるとともに固定軸２７の一端部にラジアル軸受２９ａを介して回転自在に支持され、固定軸２７に対して中空筒体２８を相対回転可能とするリング部材２９と、ボックス７内に設けられた軸受２６に軸部３０ａが回転自在に支持されるとともに、ロッド支持部３０ｂが中空筒体２８の他端に固設されかつラジアル・スラスト軸受３０ｃを介して固定軸２７の他端部に対し相対回転可能に挿入されたボス３０とから構成され、ねじりバネ２５はその一端が固定軸２７の一端部側に、他端がボス３０に固定して設けられる。
　【００２８】
　これにより、中空筒体２８は、ブラケット７ａおよび軸受２６によりその両端がボックス７に支持され、またラジアル軸受２９ａおよびラジアル・スラスト軸受３０ｃを介して固定軸２７に対し回転することができる。そして、スクリーン幕５の巻き上げ繰り出しのために中空筒体２８が正逆回転される際、この中空筒体２８の回転は、軸受２６に支持された軸部３０ａに入力され、この軸部３０ａは自在に正逆回転される。そしてこの中空筒体２８の回転が生じた際、中空筒体２８とともに回転するボス３０と回転しない固定軸２７との間に掛け渡されたねじりバネ２５には、これらボス３０と固定軸２７の相対回転に応じたねじりトルクが発生し、このねじりトルクによってドラム８にスクリーン幕５を巻き上げる方向の付勢力が加えられるようになっている。
　【００２９】
　このねじりトルクは、スクリーン幕５がドラム８に巻き取られたときには得られずあるいは小さく、スクリーン幕５が繰り出されて降下用ウエイト１０が着床した状態で最も大きくなる。そして、このねじりトルクと降下用ウエイト１０の重さとのバランスを好適に設定することにより、着床している降下用ウエイト１０を持ち上げることでスクリーン幕５がドラム８に巻き取られて上昇する一方で、その上昇過程で小さくなるねじりトルクに対し降下用ウエイト１０の重さが勝るようになると今度はスクリーン幕５が下降を開始し最終的に降下用ウエイト１０が再度着床されて防火区画が形成されるという、防火区画を形成すべく展開状態とされるスクリーン幕５に、上昇した当該スクリーン幕５下が避難通路となる昇降式の避難扉の機能が付与される。
　【００３０】
　ねじりバネ２５が発生するねじりトルクはあくまでも、降下用ウエイト１０およびスクリーン幕５の自重よって降下されるスクリーン幕５の展開を妨げるものではなく、避難扉としてスクリーン幕５を開放するために着床状態の降下用ウエイト１０を持ち上げる際の持ち上げの勢いを補助する程度に設定される。また他方で、ねじりバネ２５のねじりトルクは、スクリーン幕格納手段１９でスクリーン幕５を天井部６のボックス７に係止すべくスクリーン幕５を高い位置まで持ち上げて降下用ウエイト１０の重みがほとんどスクリーン幕５やドラム８に作用しないように支持した状態では、その時点でのねじりトルクによってスクリーン幕５を巻き取ってロックヘッド部２２ｂがロック孔２０に係止されるように、シャフト２２を付勢するバネ２３を収縮させることができる程度の巻き取り力が得られるように設定される。
　【００３１】
　さらに、扉形成手段には、スクリーン幕５、図示例にあってはスクリーン幕５が巻回される上記ドラム８のボス３０の軸部３０ａに接続され、スクリーン幕５の降下速度を減速する減速手段３１と、この減速手段３１とボス３０との間に設けられ、スクリーン幕５の上昇動作時にはボス３０と減速手段３１との接続を切り離してボス３０、ひいてはドラム８の回転をフリーとするクラッチ手段３２とからなる昇降速度調整手段３３が備えられる。減速手段３１としては例えば、スクリーン幕５、具体的にはこれが巻回されるドラム８のボス３０に接続され、スクリーン幕５の降下速度に対応するボス３０の回転速度を増速して出力する増速手段３４と、増速手段３４に接続され、その出力速度に応じて制動力を発生する遠心力ブレーキ３５とから構成される。
　【００３２】
　遠心力ブレーキ３５としては図９に例示するように、軸部３０ａに連結されて回転駆動されるディスク３６と、支軸３７によりその一端がディスク３６に回動自在に連結され、他端が支軸３７周りに制動ドラム３８に向かって揺動されるブレーキシュー３９とを備え、ボス３０によりディスク３６が回転されることでブレーキシュー３９の他端に発生する遠心力が当該ブレーキシュー３９を制動ドラム３８に押し付け、これにより相当の制動力を発生するものなど、各種の周知の遠心力ブレーキを適用することができ、要するにドラム８の回転によって当該ドラム８を制動させ得るものであれば、その構造は問わない。
　【００３３】
　また増速手段３４は、周知の歯車減速機など、ボス３０の回転速度を増速して遠心力ブレーキ３５に伝達することができるものであれば、その構造は問わない。増速手段３４は、天井部６から床４までという比較的短い距離ではスクリーン幕５の下降に伴うドラム８の回転速度はさほど上がらず、またこれに加えて、ねじりバネ２５との関係で降下用ウエイト１０が比較的軽量に設定されてこの面からもドラム８の回転速度が上がらないことを考慮して、低速度のドラム８回転を増速して遠心力ブレーキ３５のブレーキシュー３９を適切に制動ドラム３８に押し付けることができるようにし、これによって遠心力ブレーキ３５の制動作用を保証できるようになっている。従って、増速手段３４は、ドラム８の回転速度が十分に速い場合には必要とされない。
　【００３４】
　そしてこの減速手段３１を作動・非作動とする切り換えを行うためにクラッチ手段３２が備えられる。このクラッチ手段３２としては、一方向回転時には自動的に接続されて回転伝達を行い、反対方向回転時には自動的に切り離されて回転伝達を遮断する、周知のワンウエイクラッチなどが採用される。本実施形態ではこのワンウエイクラッチは、スクリーン幕５の降下時に減速手段３１を作動させるべく接続されて回転伝達を行い、スクリーン幕５の上昇時にはその上昇動作を妨げないよう減速手段３１を非作動とするために切り離され、減速手段３１への回転伝達を遮断する。これにより、スクリーン幕５の速い上昇動作と緩やかな下降動作とを確保し、スクリーン幕５下に適切な避難通路を形成するようになっている。また緩やかな下降動作により、降下用ウエイト１０が落下するようなスクリーン幕５の挙動を抑止でき、スクリーン幕５下の避難通路を避難する避難者への安全が確保される。
　【００３５】
　以上の構成を備えた本実施形態にかかる防火区画用スクリーンシャッター１の作用について説明すると、常時はスクリーン幕５はドラム８に巻き取られ、スクリーン幕格納手段１９のシャフト２２が降下用ウエイト１０のロック孔２０に係合されていて、これによりスクリーン幕５は天井部６に係脱自在に係止されて格納された状態にある。火災発生などによる火災報知信号に応じてソレノイド２４が励磁されると、シャフト２２がロック孔２０から抜き出されてスクリーン幕５は天井部６から離脱される。この際、減速手段３１を構成する遠心力ブレーキ３５や増速手段３４は、以前のスクリーン幕５の巻き上げ動作の際にクラッチ手段３２が切り離されていることからボス３０との接続が断たれている。従って、ドラム８はシャフト２２がロック孔２０から後退した時点では回転自由であり、天井部６から離脱されたスクリーン幕５は降下用ウエイト１０の重さを利用して、床４に向かって下降を開始する。
　【００３６】
　スクリーン幕５が下降し始めるとすぐにクラッチ手段３２が接続状態となり、ドラム８の回転が遠心力ブレーキ３５に入力される。スクリーン幕５の降下速度が上がると、遠心力ブレーキ３５のブレーキシュー３９が制動ドラム３８に適宜に押し付けられ、これにより降下用ウエイト１０の落下するような下降が阻止されて、この時点でスクリーン幕５下を避難通路として避難する避難者に向かって降下用ウエイト１０が落ちるような事態を防ぐことができ、避難行動の安全を確保することができる。降下を続けるスクリーン幕５は、降下用ウエイト１０が着床することで展開状態とされ、防火区画を形成する。このとき、降下用ウエイト１０の着床に応じて展開状態維持手段１８のロッド１３がガイド９の横穴１１に係合し、これにより天井３から降下されたスクリーン幕５が床４側に係脱自在に係止される。
　【００３７】
　このように降下用ウエイト１０を介して床４に係止されたスクリーン幕５には、ドラム８に組み込まれたねじりバネ２５のトルクも作用するため、当該スクリーン幕５を床４と天井３との間で相当のテンションをもってゆるみなく張りわたすことができるとともに、火災発生側と避難側との差圧でスクリーン幕５にはらみが生じるようなことがあっても、ねじりバネ２５の弾性で融通を利かせることができる。従って、防火区画として良好な封鎖性能を発揮させることができる。
　【００３８】
　さらに上記従来技術にあっては、降下用ウエイトの重量のみによってその着床状態を確保してスクリーン幕の展開状態を維持するようにしていたため、降下用ウエイトを相当の剛性を有する重量物とする必要があったが、本実施形態にあっては、ロッド１３の横穴１１への係合でスクリーン幕５の展開状態を維持できるので、降下用ウエイト１０を軽量化でき、避難行動の際の安全性を高めることができる。
　【００３９】
　次いで、スクリーン幕５による防火区画の封鎖状態で当該スクリーン幕５を昇降動作させて避難通路を確保する際には、操作レバー１７を操作することにより展開状態維持手段１８のロッド１３を横穴１１から抜き出してスクリーン幕５を床４から離脱させ、降下用ウエイト１０を持ち上げあるいは跳ね上げる。降下用ウエイト１０を持ち上げると、スクリーン幕５はねじりバネ２５のねじりトルクの作用も手伝って上昇する。この際、スクリーン幕５の上昇動作の開始によってクラッチ手段３２が切り離されて、遠心力ブレーキ３５とドラム８のボス３０との接続が断たれる。従って、ドラム８はスクリーン幕５が上昇する限り回転自由であり、スクリーン幕５はドラム８に速やかに巻き上げられてスクリーン幕５下に避難通路が形成され、これを通って避難することができる。
　【００４０】
　降下用ウエイト１０の持ち上げは、ねじりバネ２５のトルクによって助けることができるので、軽い操作でスクリーン幕５を上昇させることができる。スクリーン幕５の上昇過程で、ねじりバネ２５のトルクが次第に小さくなって降下用ウエイト１０の重さが勝ると、今度はスクリーン幕５は反対に下降し始め、その後はスクリーン幕５を繰り出して展開するときと同様に、降下用ウエイト１０が着床し展開状態維持手段１８が働いて、スクリーン幕５は防火区画を封鎖する。
　【００４１】
　他方、一旦下降させたスクリーン幕５を天井部６へ格納する際には、スクリーン幕５を高い位置まで持ち上げて降下用ウエイト１０の重みがほとんどスクリーン幕５やドラム８に作用しないように支持すれば、ねじりバネ２５のねじりトルクによってスクリーン幕５が自動的にドラム８に巻き取られるとともに、この過程でシャフト２２がロック孔２０に係合し、これによりスクリーン幕５をボックス７内に格納することができる。このように本実施形態にあっては、スクリーン幕５の繰り出し・巻き上げ動作に関して、回転方向に応じて自動的に断続されるクラッチ手段３２の切り離し状態で、繰り出し動作はソレノイド２４による解除動作によることとし、また巻き上げ動作はねじりバネ２５のねじりトルクによることとしたので、上記従来技術の回転伝達機構を備えた開閉機やモータ等を省略することができる。
　【００４２】
　そして特に本実施形態にかかる防火区画用スクリーンシャッター１にあっては、防火区画を形成すべく昇降動作されるスクリーン幕５の当該昇降動作を利用して避難扉を形成するようにしたので、引き戸式や扉式のように避難扉の開閉のために必要となるスペースを特段に確保する必要がなくなり、間口の狭い場所やエレベータの扉前、階段室の出入り口と行った場所でも適切に設備することができて、このような場所に対する防火区画の形成と避難扉の設置という両方の要請に一挙に応えることができる。
　【００４３】
　また、避難扉がスクリーン幕５自体であるので、従来技術のようにスクリーンの幕面にスライド機構や折り返し機構などの扉機能をもたせる必要がまったくなくて構造が簡単であるとともに、このように構造が簡単であることからスクリーン幕５の繰り出し動作や巻き取り動作に支障を生じさせる要因がなく、きわめて安定した作動を保証することができて防災設備としてきわめてすぐれた性能を発揮させることができる。
　【００４４】
　さらに、以上説明した本実施形態にあっては、防火区画形成手段を構成するスクリーン幕５や、ドラム８、降下用ウエイト１０、展開状態維持手段１８、ロック手段とロック解除手段とからなるスクリーン幕格納手段１９、さらに扉形成手段として機能するねじりバネ２５、増速手段３４および遠心力ブレーキ３５を備える減速手段３１とクラッチ手段３２とからなる昇降速度調整手段３３のすべてが、上方枠であるボックス７や左右一対の側方枠であるガイド９、あるいはそれらの間に組み込まれていて、これらボックス７やガイド９でなる三方枠内に防火区画用スクリーンシャッター１全体を一体に収めることが可能であり、一体型として設置することができて施工性に優れるとともに、コンパクトに設置することができる。特に、エレベーターの扉前への適用については、当該エレベーター設備の三方枠に組み込んで、防火・防煙性能を有するエレベーター設備として提供することができる。
　【００４５】
　次に図１０、図１１を用いて本発明の他の実施形態を説明する。図において前記実施形態と同一箇所には同一符号を用いて、その説明を省略し、異なる箇所あるいは新たに付加された箇所にのみ異なる符号を用いて説明する。
　【００４６】
　まず、図１０において、上述する遠心力ブレーキ３５の支軸３７（図９参照）には手動ロックワイヤー５０、及びロック解除用のワイヤー５１が連繋し、各ワイヤー５０，５１は、ガイド９に沿って、あるいはガイド９近傍の手動操作可能な位置に配置した手動ロック操作ボタン５２、及びロック解除用手動操作ボタン５３に接続されている。
　【００４７】
　これにより、手動ロックワイヤー５０に接続された手動ロックボタン５２を操作することより、支軸３７の回転をロックし、スクリーン幕５の降下を一時停止する機能を具備している。
　【００４８】
　他方、ロック解除用ワイヤー５１に接続されたロック解除用手動操作ボタン５３を操作することにより、手動ロックボタン５２の操作によるブレーキ支軸３７のロックを解除し、スクリーン５を再降下させる機能も具備している。
　【００４９】
　図１１は、前記各ワイヤー５０，５１とブレーキ支軸３７との関係を示すものであり、これらワイヤー５０，５１は、ソレノイド式駆動装置５４に接続されている。
　【００５０】
　この駆動装置５４は、上述のスクリーン幕格納手段９と連動して通常状態で前記ブレーキ支軸３７に係合してこれをロックし、火災報知信号によりロック解除するためのものであり、以下の基本構成を具備している。
　【００５１】
　すなわち、駆動装置５４は、ケース５５と、ケース５５の中段位置にあってＬ字形のヨーク５６ａに支持され、かつ着磁面を上部に向けて固定されたソレノイド５６と、ヨーク５６ａの頂部を支点としてソレノイド５６の頂部に離接可能に頃動支持された逆Ｌ字形のアクチュエータ５７と、ケース５５の上部位置に進退可能に軸止され、アクチュエータ５７の上部に一体に突設された係止突起５７ａに係合することで常時突出位置に保持されるプランジャ５８と、プランジャ５８の外周囲に配置され、プランジャ５８を後退方向に付勢するコイルバネ５９とを備えている。
　【００５２】
　この構造の駆動装置５４における通常状態では、ソレノイド５６は消磁され、アクチュエータ５７は図中想像線に示すごとく、ソレノイド５６の上部より離間し、プランジャ５８を突出させた状態に保持する。プランジャ５８の先端は同じく想像線で示すように突出状態で前記ブレーキ支軸３７の端部外周に係合し、これによってブレーキ支軸３７の回転をロックする。
　【００５３】
　この状態から、火災報知信号がソレノイド５６に入力されることにより、アクチュエータ５７は図中実線で示すごとくソレノイド５６側に吸着され、係止突起５７ａがプランジャ５８から掛け外され、コイルバネ５９のバネ圧により、プランジャ５８は急速に後退し、ブレーキ支軸３７に対するロックを解除する。
　【００５４】
　以上の構成に加え、駆動装置５５には、ケース５５の背面における前記ブレーキ支軸３７との反対位置上部にはピン６０を支点として手動ロックレバー６１が垂設され、その下端を前記ケース５５を横方向に貫通して配置された前記手動ロックワイヤー５０の端部に連結している。
　【００５５】
　これに対し、プランジャ５８のケース５５からの後部突出端にはアタッチメント６２を介して前記手動ロックレバー６１の上部前面に接している。またロックレバー６１の下端とケース５５の後部壁面間において、手動ロックワイヤー５０の外周には小径のコイルバネ６３が介在されている。このコイルバネ６３は、前記アタッチメント６２とレバー６１間のガタ止めと、ワイヤー５０の矢印に示す引張り時に小さな抵抗を与える機能とを具備している。
　【００５６】
　さらに前記アクチュエータ５７の先端垂直部５７ｂには、前記ロック解除用ワイヤー５１の端部が連結されている。そして、ケース５５の前部側にはＬ形をしたバネ取付金具６４が突出配置され、これの垂直壁６４ａと前記アクチュエータ５７側の垂直部５７ｂとの間において、ワイヤー５１の外周には小径のコイルバネ６５が介在されている。このコイルバネ６５は、常時アクチュエータ５７をソレノイド５６の上方に離間させる機能及びワイヤー５１の矢印に示す引張り時に小さな抵抗を与える機能とを具備している。
　【００５７】
　以上の構成において、前記手動ロックボタン５２を操作することにより、手動ロックワイヤー５０は矢印方向に引かれ、アタッチメント６２を介してプランジャ５８を再び前進方向に移動させ、ブレーキ支軸３７の回転をロックすることになり、スクリーン幕５の下降を停止させる。
　【００５８】
　また、この状態で、前記ロック解除用手動操作ボタン５３を操作することにより、アクチュエータ５７の垂直部５７ｂは前部側に引かれ、その結果支点部を基点にソレノイド５６側に頃動し、係止突起５７ａが掛け外され、再びプランジャ５８が急速に後退し、この結果、再度ロックが掛けはずれ、スクリーン幕５は下降する。
　【００５９】
　なお、図１１中符号６６はケース５５の上部内側にあって、プランジャ５８のロック、非ロック状態を検出するためのマイクロスイッチである。
　【００６０】
　次に、前記展開状態維持手段１８の他の実施形態を図１２，１３を用いて説明する。なお本実施形態において、前記実施形態と共通する箇所には同一符号を付し、異なる箇所にのみ異なる符号を用いて説明する。
　【００６１】
　図において、展開状態維持手段１８は、ガイド９の下端９ａにおいて、スリット９ｂに隣接させて形成された横穴１１に対向して降下用ウエイト１０の長さ方向両端に固定配置したシリンダ７０と、シリンダ７０内にあって、前記横穴１１に向けて挿抜可能に設けられたロッド７１と、シリンダ７０内にあって、ロッド７１の外周に介挿され、その鍔部７１ａを押しつけることによりロッド７１の先端部を横穴１１に向けて突出付勢する圧縮コイルバネ７２とを備えている。ロッド７０の後部はシリンダ７０の後端に突出しその突出端に設けたフランジ７０ｂはワイヤー７３に連結されている。
　【００６２】
　ワイヤー７３は、左右のロッド７１（図では向って左側のロッド７０のみを示す）を連結するもので、ウエイト１０の側面にピン７４を介して揺動可能に支持された略く字形のレバー７５にコマ７６を介して連結している。
　【００６３】
　レバー７５の一端部７５ａは図１２（ａ）に示すように、ウエイト１０の下面より床面４側に向けて突出しているとともに、他端部７５ｂはウエイト１０の側面に配置された引張りコイルバネ７７に連結している。
　【００６４】
　引張りコイルバネ７７のバネ力は前記シリンダ７０内に設けた圧縮コイルバネ７２のバネ圧よりも大きく設定されており、また、ウエイト１０の重量よりも小さく設定されており、これにより、図１２（ａ）に示すように、ウエイト１０及びスクリーン幕５が床面４から離れている状態では、引張りコイルバネ７７のバネ力により、両側のロッド７１はシリンダ７０内に引込まれ、またワイヤー７３の中央側はたるみが生じており、さらにはレバー７５の一端部７５ａは床面４側に向けて突出している。
　【００６５】
　この状態から、ウエイト１０が着床すると、図１２（ｂ）に示すように、レバー７５の一端部７５ａは床面４に度当りし、引張りコイルバネ７７のバネ力に抗してピン７４を支点として回動して、床面４位置に固定される。これによって、ワイヤー７３のロッド連結端側にはたるみが生じ、圧縮コイルバネ７２に対する規制が解消され、バネ圧をロッド７１に作用させて突出側に付勢し、同図（ｂ）及び図１３に示すごとく、横穴１１内に突出し、スクリーン幕５を閉鎖状態にロックする。
　【００６６】
　この状態からロック解除するためには、ワイヤー７３の中央側を引くことにより、両側のロッド７１を同時にシリンダ７０内に没入させ、ロック解除されることになるのである。
　【００６７】
　したがって、本実施形態では、スクリーン幕５の幅が広いと場合であっても、ロック解除する際にワイヤー７３の中央を引張り上げることにより、左右同時にロッド７２によるロックを解除でき、操作を迅速に行うことができるほか、スクリーン幕５の降下時にロッド７２の先端が左右のガイド９に接触することを防止できる。
　【００６８】
　なお、ロック解除時におけるワイヤー７３の引上げ操作は直接手で行ってもよいが、例えばレバーなどにより、ワイヤー７３の左右を同時に巻上げる機構をウエイト１０の中央に設け、この機構に付属する注意表示などを近傍に配置しておくことで、避難者が迅速に対応して操作可能となる。
　【００６９】
　【発明の効果】
　以上要するに、本発明にかかる防火区画用スクリーンシャッターにあっては、防火区画を形成すべく昇降動作されるスクリーン幕の当該昇降動作を利用して避難扉を形成するようにしたので、間口の狭い場所やエレベータの扉前、階段室の出入り口と行った場所でも適切に設備することができて、このような場所に対する防火区画の形成と避難扉の設置という両方の要請に一挙に応えることができる。また、避難扉がスクリーン幕自体であるので、構造が簡単であるとともに、このように構造が簡単であることからスクリーン幕の繰り出し動作や巻き取り動作に支障を生じさせる要因がなく、安定した作動を保証することができる。
【図面の簡単な説明】
　【図１】
　本発明にかかる防火区画用スクリーンシャッターの好適な一実施形態を示す正面図である。
　【図２】
　図１に示した防火区画用スクリーンシャッターの側断面図である。
　【図３】
　図１に示した防火区画用スクリーンシャッターに適用される展開状態維持手段の一例を示す断面図である。
　【図４】
　図３に示した展開状態維持手段の平面断面図である。
　【図５】
　図１に示した防火区画用スクリーンシャッターに適用されるロック手段およびロック解除手段の一例を示す断面図である。
　【図６】
　図１に示した防火区画用スクリーンシャッターに適用されるドラムの構造の一例を示す断面図である。
　【図７】
　図６に示したドラムの構造のＡ部拡大断面図である。
　【図８】
　図６に示したドラムの構造のＢ部拡大図である。
　【図９】
　図１に示した防火区画用スクリーンシャッターに適用される遠心力ブレーキの構造の一例を示す断面図である。
　【図１０】
　展開状態維持手段の他の実施形態における防火区画用スクリーンシャッターの全体構成を示す正面図である。
　【図１１】
　図１０に示したワイヤーとブレーキ支軸のロック用駆動装置との関係を示す拡大図である。
　【図１２】
　（ａ），（ｂ）は展開状態維持手段の他の実施形態における非着床時と着床時の状態を示す部分側断面図である。
　【図１３】
　同着床時における平断面図である。
　【図１４】
　従来の防火区画用スクリーンシャッターの構成を説明するための説明図である。
　【符号の説明】
　　３　天井
　　４　床
　　５　スクリーン幕
　　８　ドラム
　　９　ガイド
　１０　降下用ウエイト
　１１　横穴
　１２，７１　ロッド（ロック手段）
　１７　解除レバー（ロック解除手段）
　１８　展開状態維持手段
　１９　スクリーン幕格納手段
　２０　ロック孔
　２２　シャフト
　２４　ソレノイド
　２５　ねじりバネ
　３１　減速手段
　３２　クラッチ手段
　３４　増速手段
　３５　遠心力ブレーキ
　５２　手動ロック操作ボタン
　５３　ロック解除用手動操作ボタン
　７３，７５，７６　ロック解除手段（７３　ワイヤー、７５　レバー、７６引張りコイルバネ）